(57)【要約】【課題】リモコン装置の探索可能範囲が広がり、ユーザがリモコン装置を紛失した場合に、より確実にリモコン装置を探し出すことができる携帯電話機およびプログラムを提供する。【解決手段】携帯電話機３００のマイコン２１が特定のコマンドを赤外送信部２０に出力すると赤外送信部２０がコマンドを赤外線信号に変換して外部に送信し、リモコン装置２００の赤外受信部８がその赤外線信号を受信すると音声発生部１３が音声を発する。【選択図】図３
2009044558.tif 000002
【特許請求の範囲】
【請求項１】
リモコン装置に受信させて報知させるための無線信号を送信する送信部を備えることを特徴とする携帯電話機。
【請求項２】
前記送信部は所定時間だけ前記無線信号を連続送信することを特徴とする請求項１に記載の携帯電話機。
【請求項３】
前記無線信号は赤外線信号であることを特徴とする請求項１または請求項２に記載の携帯電話機。
【請求項４】
コンピュータと、前記コンピュータが出力する情報に基づき無線信号を生成しその無線信号を送信する送信部とを有した携帯電話機が有する前記コンピュータを、リモコン装置に受信させて報知させるための無線信号を前記送信部が送信するよう前記送信部に情報を出力する手段として機能させるためのプログラム。
【請求項５】
コンピュータと、前記コンピュータが出力する情報に基づき無線信号を生成しその無線信号を送信する送信部とを有した携帯電話機が有する前記コンピュータを、リモコン装置に受信させて報知させるための無線信号を前記送信部が所定時間だけ連続送信するよう前記送信部に情報を出力する手段として機能させるためのプログラム。
【発明の詳細な説明】
【技術分野】
【０００１】
本発明は、リモコン装置を探索する携帯電話機に関するものである。
【背景技術】
【０００２】
近年、ＤＶＤ機器やテレビジョン受像機等、あらゆる機器には遠隔操作のためのリモコン装置が付属されている。このようなリモコン装置をユーザが紛失する場合があり、このような場合に自分でリモコン装置を探し出すのはユーザにとって面倒であった。
【０００３】
そこで、特許文献１および特許文献２には、機器に設けられた所定のキーが押下げられると機器から探索信号が送信され、リモコン装置がこの探索信号を受信すると音声を発生するようなシステムが開示されている。これにより、ユーザは機器の所定のキーを操作するだけで容易にリモコン装置を探し出すことができる。
【特許文献１】特開２００４−１３４８５６号公報
【特許文献２】特開２００２−３４５０５４号公報
【発明の開示】
【発明が解決しようとする課題】
【０００４】
しかし、上記特許文献１および特許文献２に開示されたシステムでは、リモコン装置が機器からの探索信号を受信可能な位置にあれば音声の発生によりユーザはリモコン装置を探し出すことができるが、リモコン装置が探索信号を受信できない位置にあった場合、リモコン装置は音声を発生することができず、ユーザはリモコン装置を探し出すことができないという問題点があった。
【０００５】
上記問題点に鑑み、本発明は、リモコン装置の探索可能範囲が広がり、ユーザがリモコン装置を紛失した場合に、より確実にリモコン装置を探し出すことができる携帯電話機およびプログラムを提供することを目的とする。
【課題を解決するための手段】
【０００６】
上記目的を達成するために本発明の携帯電話機は、リモコン装置に受信させて報知させるための無線信号を送信する送信部を備えることを特徴としている。
【０００７】
このような構成によれば、ユーザは携帯電話機を持ち歩くことができるため、紛失したリモコン装置の位置を限定することなく、リモコン装置に無線信号を受信させてユーザに報知させることができ、ユーザはより確実にリモコン装置を探し出すことができる。
【０００８】
また、本発明の携帯電話機は、上記構成において、前記送信部は所定時間だけ前記無線信号を連続送信することを特徴としている。
【０００９】
このような構成によれば、消費電力を抑えるためリモコン装置が無線信号受信可能状態と無線信号受信不可能状態とを繰り返している場合でも、リモコン装置は確実に無線信号を受信してユーザに報知することができ、ユーザは確実にリモコン装置を探し出すことができる。
【００１０】
また、以上の構成において、前記無線信号は例えば赤外線信号とすればよい。
【００１１】
また、上記目的を達成するために本発明のプログラムは、コンピュータと、前記コンピュータが出力する情報に基づき無線信号を生成しその無線信号を送信する送信部とを有した携帯電話機が有する前記コンピュータを、リモコン装置に受信させて報知させるための無線信号を前記送信部が送信するよう前記送信部に情報を出力する手段として機能させるためのプログラムとしている。
【００１２】
このようなプログラムによれば、ユーザは携帯電話機を持ち歩くことができるため、紛失したリモコン装置の位置を限定することなく、リモコン装置に無線信号を受信させてユーザに報知させることができ、ユーザはより確実にリモコン装置を探し出すことができる。
【００１３】
また、上記目的を達成するために本発明のプログラムは、コンピュータと、前記コンピュータが出力する情報に基づき無線信号を生成しその無線信号を送信する送信部とを有した携帯電話機が有する前記コンピュータを、リモコン装置に受信させて報知させるための無線信号を前記送信部が所定時間だけ連続送信するよう前記送信部に情報を出力する手段として機能させるためのプログラムとしている。
【００１４】
このようなプログラムによれば、上記のような効果に加え、消費電力を抑えるためリモコン装置が無線信号受信可能状態と無線信号受信不可能状態とを繰り返している場合でも、リモコン装置に無線信号を確実に受信させてユーザに報知させることができる。
【発明の効果】
【００１５】
本発明の携帯電話機およびプログラムによれば、リモコン装置の探索可能範囲が広がり、ユーザがリモコン装置を紛失した場合に、より確実にリモコン装置を探し出すことができる。
【発明を実施するための最良の形態】
【００１６】
以下、本発明の実施形態について図面を参照して説明する。ここでは、ＤＶＤ機器用のリモコン装置をＤＶＤ機器および携帯電話機によって探索する例を説明する。
【００１７】
図１に、本発明の実施形態に係るＤＶＤ機器およびリモコン装置の概略構成図を示す。ただし、ＤＶＤ機器についてはリモコン装置の探索に関わる構成を示し、ＤＶＤ再生等に関する構成は省略している。
【００１８】
本発明の実施形態に係るＤＶＤ機器１００は、操作部１と、記憶部２と、ＯＳＤ（Ｏｎ  Ｓｃｒｅｅｎ  Ｄｉｓｐｌａｙ）部３と、赤外送信部４と、回転駆動部５と、赤外受信部６と、制御部７とを備えている。操作部１は各種キーを有し、そのひとつにリモコン装置探索用キーを有している。記憶部２は各種設定情報を記憶させるためのものである。ＯＳＤ部３はＯＳＤ画像信号を生成して外部の表示装置へ出力する。赤外送信部４は不図示の赤外ＬＥＤ等からなり、リモコン装置探索用の特定のコマンドを赤外線信号として送信する。回転駆動部５はモータや回転機構等からなり、上記不図示の赤外ＬＥＤを回転させる。赤外受信部６は赤外線信号を受信し赤外線信号をリモコンコードや後述する返信信号や設定情報に変換して出力する。
【００１９】
また、本発明の実施形態に係るリモコン装置２００は、赤外受信部８と、赤外送信部９と、電源１０と、スイッチ１１と、操作部１２と、音声発生部１３と、制御部１４とを備えている。赤外受信部８は赤外線信号を受信し赤外線信号をコマンドに変換して出力する。赤外送信部９はリモコンコードや後述する返信信号や設定情報を赤外線信号に変換して出力する。
【００２０】
電源１０は、赤外受信部８を含む各部に電力を供給する電源である。スイッチ１１は、電源１０から赤外受信部８への電源供給のオンオフを切り換えるスイッチであり、オンオフは制御部１４により制御される。操作部１２は各種キーおよび後述する探索モード設定スイッチを有する。音声発生部１３はスピーカ等からなり、制御部１４からの音声信号に基づき音声を発生させる。
【００２１】
リモコン装置２００の操作部１２においてＤＶＤ機器１００操作用の操作がされると、制御部１４がその操作に対応したリモコンコードを赤外送信部９に出力し、赤外送信部９がリモコンコードを赤外線信号に変換して外部に出力する。すると、ＤＶＤ機器１００の赤外受信部６がその出力された赤外線信号を受信しリモコンコードに変換して制御部７に出力し、制御部７がリモコンコードに対応した制御を行い、ＤＶＤ機器１００がリモコン装置２００における操作に対応した動作を行う。
【００２２】
また、リモコン装置２００の操作部１２は前述のように探索モード設定スイッチを有し、本スイッチはスライドスイッチである。探索モード設定スイッチの付近には「ＯＦＦ」「１０秒」「２０秒」「３０秒」「４０秒」といった表示がされており、各表示に対応する位置に探索モード設定スイッチをスライドさせることができる。
【００２３】
探索モード設定スイッチを「ＯＦＦ」以外の時間表示のいずれかの位置にスライドさせると、制御部１４は、所定時間分のオンと、探索モード設定スイッチが位置する時間表示の時間分のオフとをスイッチ１１が繰り返すよう制御し、赤外受信部８に間欠的に電源が供給され、所定時間分の赤外線信号受信可能状態と探索モード設定スイッチが位置する時間表示の時間分の赤外線信号受信不可能状態とをリモコン装置２００が繰り返す（探索モードオンの状態）。そして、赤外線信号受信可能状態のときにＤＶＤ機器１００の赤外送信部４から特定のコマンドとしての赤外線信号を赤外受信部８が受信すれば、制御部１４が特定のコマンドを認識し所定の音声信号を音声発生部１３に出力し、音声発生部１３が音声を発生させる。またこのとき、制御部１４は赤外送信部９に返信信号を出力し、赤外送信部９は返信信号を赤外線信号として外部に出力する。このようなリモコン装置２００の間欠動作によりリモコン装置２００の電力消費が抑えられる。
【００２４】
また、探索モード設定スイッチを「ＯＦＦ」に対応する位置にスライドさせると、制御部１４はスイッチ１１を常にオフとなるよう制御し、赤外受信部８には常に電源が供給されず、リモコン装置２００は常に赤外線信号受信不可能状態となる（探索モードオフの状態）。この状態であれば前述の探索モードオンの状態よりもさらに電力消費を抑えることができる。
【００２５】
また、リモコン装置２００の操作部１２が有する各種キーには、ＤＶＤ機器１００へリモコン装置２００の探索モード設定状態を通知するための所定のキーが含まれている。この所定のキーが押下げられると、制御部１４は、探索モード設定スイッチが「ＯＦＦ」の位置にあれば探索モードオフを表す設定情報を、探索モード設定スイッチが「ＯＦＦ」以外の位置にあればスイッチが位置する時間表示の設定時間を表す設定情報を赤外送信部９に出力し、赤外送信部９は制御部１４からの設定情報を赤外線信号に変換して外部に出力する。そして、ＤＶＤ機器１００の赤外受信部６がその赤外線信号を受信すると赤外線信号を設定情報に変換して制御部７に出力し、制御部７は設定情報を記憶部２に記憶させる（以下、この設定情報を探索モード設定情報という）。
【００２６】
次に、ＤＶＤ機器１００によるリモコン装置２００の探索について図２に示すフローチャートに沿って説明する。ここで、ＤＶＤ機器１００の記憶部２には前述のように探索モード設定情報が予め記憶されているものとする。
【００２７】
まず、ＤＶＤ機器１００の操作部１が有するリモコン装置探索用キーが押下げられると、ステップＳ２０で制御部７がこれを検知し、ステップＳ２１に進む。
【００２８】
ステップＳ２１で、制御部７は記憶部２に記憶された探索モード設定情報を確認し、探索モード設定情報が設定時間を表しておりリモコン装置２００が探索モードオンの状態である場合は（ステップＳ２２のＹ）、ステップＳ２３に進む。
【００２９】
ステップＳ２３で、制御部７は特定のコマンドの赤外送信部４への連続出力を開始し、赤外送信部４は特定のコマンドとしての赤外線信号の連続送信を開始する。以降、赤外送信部４は、最長で探索モード設定情報が表す設定時間が経過するまでコマンドを連続送信する。
【００３０】
ここで、前述のようにリモコン装置２００が探索モードオンの状態である場合、赤外線信号受信可能状態のときにリモコン装置２００がＤＶＤ機器１００から特定のコマンドを受信すれば、リモコン装置２００は音声を発生し、返信信号を赤外線信号として外部に出力する。
【００３１】
ステップＳ２３の後、探索モード設定情報が表す設定時間の経過前のコマンド送信により赤外受信部６がリモコン装置２００から返信信号としての赤外線信号を受信し、制御部７が返信信号を認識すれば（ステップＳ２４のＹ）、赤外送信部４にコマンドを出力していればそれを停止し、ステップＳ２９に進み、制御部７の指示によりＯＳＤ部３がＯＳＤ画像信号を生成して外部の表示装置へ出力する。すると、表示装置にはリモコン装置が探索された旨が表示される。
【００３２】
また、ステップＳ２３の後、探索モード設定情報が表す設定時間だけコマンド送信がされても、リモコン装置２００がコマンドを受信できる位置になく、赤外受信部６が返信信号としての赤外線信号を受信せず、制御部７が返信信号を認識できなければ（ステップＳ２４のＮ）、ステップＳ２５に進み、探索可能な全範囲を探索していなければ（ステップＳ２５のＮ）、ステップＳ２７に進む。ステップＳ２７で、制御部７の指示により回転駆動部５が赤外送信部４の赤外ＬＥＤを所定角度だけ回転させる。そして、ステップＳ２３に戻り、特定のコマンドの連続送信が再開される。
【００３３】
以降、赤外送信部４の赤外ＬＥＤが所定角度ずつ回転されながらリモコン装置２００の探索が行われ、探索可能な全範囲が探索されると（ステップＳ２５のＹ）、ステップＳ２６に進み、制御部７の指示によりＯＳＤ部３がＯＳＤ画像信号を生成して外部の表示装置へ出力する。すると、表示装置にはリモコン装置が探索されなかった旨が表示される。
【００３４】
また、ステップＳ２１で探索モード設定情報が確認され、探索モード設定情報が探索モードオフを表す場合は（ステップＳ２２のＮ）、ステップＳ２８に進み、制御部７の指示によりＯＳＤ部３がＯＳＤ画像信号を生成して外部の表示装置へ出力する。すると、表示装置にはリモコン装置が探索モードオフの状態である旨が表示される。
【００３５】
以上のように、リモコン装置２００が探索モードオンの状態であり、ＤＶＤ機器１００から送信されるコマンドを受信できる位置にあれば、リモコン装置２００が音声を発生するので、ユーザはリモコン装置２００を探し出すことができる（このときステップＳ２９での表示が表示装置においてされる）。
【００３６】
しかし、リモコン装置２００が探索モードオンの状態であっても、ＤＶＤ機器１００から送信されるコマンドを受信できる位置になければ、リモコン装置２００からは音声が発生せず、ステップＳ２６での表示装置における表示によりユーザはリモコン装置２００が探索できなかったことが分かる。
【００３７】
このような場合でも、ユーザは本発明の実施形態に係る携帯電話機を用いてリモコン装置２００を探し出すことができる。以下、本発明の実施形態に係る携帯電話機によるリモコン装置２００の探索について説明する。
【００３８】
図３に、本発明の実施形態に係る携帯電話機の概略構成を示す。本発明の実施形態に係る携帯電話機３００は、アンテナ１５と、送受信部１６と、記憶部１７と、操作部１８と、表示部１９と、赤外送信部２０と、マイコン２１とを備えている。
【００３９】
送受信部１６は、マイコン２１からの指示に基づきアンテナ１５を介して他の電話機との通話およびインターネットに接続される各種サイトとのデータ送受信を行う。記憶部１７は、インターネットに接続される各種サイトからダウンロードされる各種プログラムが記憶される。操作部１８は、携帯電話機の外面に配列された各種キーを有している。表示部１９は、液晶パネル等からなり、マイコン２１からの制御信号に基づき各種画像を表示させる。赤外送信部２０は、赤外ＬＥＤ等からなり、マイコン２１からのコマンドを赤外線信号に変換して外部に出力する。マイコン２１は、ＣＰＵ、ＲＯＭ、ＲＡＭを有しており、ＣＰＵはＲＯＭに格納された各種プログラムをＲＡＭをワークエリア等として利用しつつ実行する。
【００４０】
このような携帯電話機３００により、携帯電話機３００にリモコン装置探索機能を付加するプログラムをＤＶＤ機器１００のメーカーのサイトからダウンロードすることができる。
【００４１】
まず、ＤＶＤ機器１００のメーカーが開いているサイトのアドレスを指定する操作およびインターネット接続操作が操作部１８においてされると、マイコン２１は、送受信部１６に指定されたサイトへの接続を行わせるとともに、この接続されたサイトの初期画面を表示部１９に表示させる。そして、操作部１８における操作により表示部１９にプログラムのダウンロード用画面が表示される。
【００４２】
ここで、操作部１８においてダウンロード操作がされると、マイコン２１は、送受信部１６を介してプログラムを取得し、取得されたプログラムを記憶部１７に記憶させる。以上でダウンロード完了となる。
【００４３】
このようにダウンロードされたプログラムにより携帯電話機３００にリモコン装置探索機能が付加され、携帯電話機３００によりリモコン装置２００を探索可能となる。
【００４４】
上記ダウンロード後、アプリケーション一覧表示操作が操作部１８においてされると、表示部１９にダウンロードされたプログラムのタイトルを含むタイトル一覧が表示され、ここでダウンロードされたプログラムのタイトルの選択操作が操作部１８においてされると、マイコン２１は記憶部１７に記憶されたプログラムの実行を開始する。
【００４５】
まず、マイコン２１は、表示部１９に図４（ａ）に示すような画面を表示させる。本画面では、前述したリモコン装置２００が有する探索モード設定スイッチのスライド位置に対応する設定時間表示（「１０秒」「２０秒」「３０秒」「４０秒」）と同様の時間が選択項目として表示される。
【００４６】
ここで、いずれかの選択項目の選択操作が操作部１８においてされると、マイコン２１は、表示部１９に図４（ｂ）に示すような画面を表示させる。本画面では、「探索実行」と「終了」という選択項目が表示される。ここで、「探索実行」という選択項目の選択操作が操作部１８においてされると、マイコン２１は、上記で選択された設定時間だけ特定のコマンドを赤外送信部２０に連続出力し、赤外送信部２０は特定のコマンドを赤外線信号として上記選択された設定時間だけ外部に連続送信する。コマンドの連続送信中は「探索実行」「終了」いずれの選択項目も選択できないようになり、コマンド送信が終了すると再び選択できるようになる。リモコン装置２００が探索モードオンの状態である場合、赤外線信号受信可能状態のときにリモコン装置２００が携帯電話機３００から特定のコマンドを受信すれば、リモコン装置２００は音声を発生する。
【００４７】
なお、「終了」という選択項目の選択操作が操作部１８においてされると、マイコン２１は、プログラムの実行を終了する。
【００４８】
前述のようにリモコン装置２００がＤＶＤ機器１００の探索可能範囲外に位置し探索できなかった場合でも、ユーザは、携帯電話機３００にプログラムをダウンロードし、ダウンロードしたプログラムを携帯電話機３００に起動させ、携帯電話機３００を持ち歩きながら上記「探索実行」という選択項目（図４（ｂ））を選択すれば、リモコン装置２００がコマンドを受信することで音声を発生し、ユーザはリモコン装置２００を探し出すことができる。
【００４９】
また、プログラムの起動後、ユーザがリモコン装置２００の探索モード設定スイッチのスライド位置に対応する設定時間を画面（図４（ａ））において選択すれば、その設定時間の間は赤外線信号受信不可能状態となるよう赤外線信号受信可能状態と赤外線信号受信不可能状態を繰り返すリモコン装置２００に対して携帯電話機３００からその設定時間だけコマンドが連続送信されるので、リモコン装置２００はより確実にコマンドを受信し音声を発生することができ、ユーザはより確実にリモコン装置２００を探し出すことができる。
【図面の簡単な説明】
【００５０】
【図１】は、ＤＶＤ機器および本発明に係るリモコン装置の概略構成図である。
【図２】は、ＤＶＤ機器のリモコン装置探索動作に関するフローチャートである。
【図３】は、本発明に係る携帯電話機および本発明に係るリモコン装置の概略構成図である。
【図４】は、（ａ）携帯電話機に表示される探索時間設定画面、（ｂ）携帯電話機に表示される探索実行画面を示す。
【符号の説明】
【００５１】
１００    ＤＶＤ機器
２００    リモコン装置
３００    携帯電話機
１    操作部
２    記憶部
３    ＯＳＤ部
４    赤外送信部
５    回転駆動部
６    赤外受信部
７    制御部
８    赤外受信部
９    赤外送信部
１０    電源
１１    スイッチ
１２    操作部
１３    音声発生部
１４    制御部
１５    アンテナ
１６    送受信部
１７    記憶部
１８    操作部
１９    表示部
２０    赤外送信部
２１    マイコン
【図１】
2009044558.tif 000003
【図２】
2009044558.tif 000004
【図３】
2009044558.tif 000005
【図４】
2009044558.tif 000006